(57)【要約】【課題】情報記録媒体ディスクＤ１，Ｄ２の反り等の変形を小さくするようにディスク搭載面２０ｄを構成した場合であっても、上記ディスク搭載面２０ｄに対する測定を容易かつ高精度に行うことを可能とする。【解決手段】情報記録媒体ディスクＤ１，Ｄ２を載置するように回転ハブ２２に設けたディスク搭載面２２ｄの円周方向と直交する面に関する断面形状を略円弧形状をなすように形成して情報記録媒体ディスクＤ１，Ｄ２の反り等の変形を小さくするとともに、そのディスク搭載面２２ｄの近傍に、当該ディスク搭載面２２ｄとの同時加工によって容易かつ高精度に平面状の精度検査面３０を形成してディスク搭載面２０ｄに関する測定、すなわち軸振れ（アキシャル振れ）やディスク高さの測定が高精度を行い得るように構成したもの。【選択図】      図１
2004342234.tif 000002
【特許請求の範囲】
【請求項１】
回転ハブの外周側部分に環状に延在するように形成されたディスク搭載面上に情報記録媒体ディスクを載置した状態で回転駆動を行うものであって、
前記ディスク搭載面における円周方向と直交する面に関する断面形状が略円弧形状をなすように形成されたディスク駆動装置において、
前記ディスク搭載面の近傍に、当該ディスク搭載面と同時加工された平面状の精度検査面が設けられていることを特徴とするディスク駆動装置。
【請求項２】
回転ハブの外周側部分に環状に延在するように形成されたディスク搭載面上に情報記録媒体ディスクを載置した状態で回転駆動を行うものであって、
前記回転ハブのディスク搭載面が、半径方向において０．３ｍｍ以下の幅寸法を有する環状平面をなすように形成されたディスク駆動装置において、
前記ディスク搭載面の近傍に、当該ディスク搭載面と同時加工された平面状の精度検査面が設けられていることを特徴とするディスク駆動装置。
【請求項３】
前記精度検査面が、略カップ状をなすように形成された前記回転ハブの底部を構成している円盤状部材の一部に形成されていることを特徴とする請求項１または請求項２記載のディスク駆動装置。
【請求項４】
前記精度検査面が、略カップ状をなすように形成された回転ハブの開口部を形成しているフランジ状部材の一部であって、前記ディスク搭載面と半径方向に隣接する面に形成されていることを特徴とする請求項１または請求項２記載のディスク駆動装置。
【請求項５】
前記精度検査面が、略カップ状をなすように形成された回転ハブの開口部を形成しているフランジ状部材の一部であって、前記ディスク搭載面と軸方向に反対側の面に形成されていることを特徴とする請求項１または請求項２記載のディスク駆動装置。
【請求項６】
回転ハブの外周側部分に環状に延在するように形成したディスク搭載面上に情報記録媒体ディスクを載置した状態で回転駆動を行うディスク駆動装置に関して、前記ディスク搭載面を、円周方向と直交する面に関する断面形状が略円弧形状となるように形成するようにしたディスク駆動装置の製造方法において、
前記ディスク搭載面の近傍に、平面状の精度検査面を前記ディスク搭載面と同時加工するようにしたことを特徴とするディスク駆動装置の製造方法。
【請求項７】
回転ハブの外周側部分に環状に延在するように形成されたディスク搭載面上に情報記録媒体ディスクを載置した状態で回転駆動を行うディスク駆動装置に関して、前記回転ハブのディスク搭載面を、半径方向において０．３ｍｍ以下の幅寸法を有する環状平面をなすように形成するディスク駆動装置の製造方法において、
前記ディスク搭載面の近傍に、平面状の精度検査面を前記ディスク搭載面と同時加工するようにしたことを特徴とするディスク駆動装置の製造方法。
【発明の詳細な説明】
【０００１】
【発明の属する技術分野】
本発明は、回転ハブに設けられたディスク搭載面上に情報記録媒体ディスクを載置・装着して回転駆動を行うように構成されたディスク駆動装置およびその製造方法に関する。
【０００２】
【従来の技術】
近年、磁気記録ディスクなどの各種情報記録媒体ディスクを高速で回転駆動させるためのディスク駆動装置が種々開発されている。例えば図１２に示されているディスク駆動装置では、モータ部１により回転駆動される略カップ状の回転ハブ２の外周胴部に対して、２枚の情報記録媒体ディスクＤ１，Ｄ２が軸方向に挿通されるようにして装着されている。これらの情報記録媒体ディスクＤ１，Ｄ２は、図示下側の情報記録媒体ディスクＤ２が、上記回転ハブ２の開口部を形成しているフランジ状部材２ａに形成されたディスク搭載面２ｂ上に当接されることによって軸方向に位置決めされている。そして、上記回転ハブ２の図示上方側から圧接するように取り付けられたクランパ３の凸部３ａにより軸方向に押圧されることによって、上記情報記録媒体ディスクＤ１，Ｄ２の全体の固定が行われている。
【０００３】
このとき、上述したディスク搭載面２ｂは、円周方向と直交する面に関する断面形状が例えば略円弧形状をなすように形成されており、その円弧形状の頂部が、上述したクランパ３の凸部３ａと軸方向に対向するように配置されている（例えば、特許文献１参照。）。すなわち、ディスク搭載面２ｂにおける円弧形状の頂部と、クランパ３の凸部３ａとを軸方向に対向する配置関係とすることによって、それらの間に挟持された情報記録媒体ディスクＤ１，Ｄ２を、図示矢印で表したように略直線状に押圧することとして反り等の変形を小さくするようにしている。
【０００４】
これに対して、図１３または図１４に示されているように、情報記録媒体ディスクＤ１，Ｄ２を載置するディスク搭載面２ｂ’が幅広の平面をなすように形成されていると、加工精度のバラツキなどによってディスク搭載面２ｂ’が傾斜した状態で形成されてしまうことがある。そのような傾斜状態のディスク搭載面２ｂ’では、情報記録媒体ディスクＤ１，Ｄ２と実際に当接している位置が、上述したクランパ３の凸部３ａの直下位置から半径方向外側（図１３参照）または内側（図１４参照）にズレてしまい、そのズレにより発生するモーメントによって上記情報記録媒体ディスクＤ１，Ｄ２が凹状または凸状に反って変形を生じやすくなる。
【０００５】
また、図１５に示されているディスク駆動装置のディスク搭載面２ｃは、半径方向において小さな幅寸法を有する環状平面をなすように形成されている（例えば、特許文献２参照。）。すなわち、このディスク搭載面２ｃのように平面幅寸法を限りなく小さくするようにしても、情報記録媒体ディスクＤ１，Ｄ２の反り等の変形を同様に小さくすることが可能となる。
【０００６】
【特許文献１】
米国特許第６１１８６２０号明細書
【特許文献２】
特開平６−１１９６９７号公報
【０００７】
【発明が解決しようとする課題】
ところが、上述したようにディスク駆動装置のディスク搭載面を、略円弧形状に形成したり（図１３参照）、幅狭に形成したり（図１５参照）すると、そのディスク搭載面に関する測定、つまり軸振れ（アキシャル振れ）やディスク高さ測定を行うときの誤差が、測定センサーの寸法の関係や測定機器の位置関係などに基づいて、極めて大きなものになってしまうことが多い。例えば、静電容量式のセンサーを用いる場合には、センサー・プローブの先端位置が僅かな位置ズレを生じるだけでディスク搭載面から外れやすくなり、大きな測定誤差を招来することとなって、真の軸振れやディスク高さを正確に測定することができなくなってしまうという問題がある。
【０００８】
そこで本発明は、情報記録媒体ディスクの反り等の変形を小さくするようにディスク搭載面を構成した場合であっても、ディスク搭載面に対する測定を、容易かつ高精度に行うことができるようにしたディスク駆動装置を提供することを目的とする。
【０００９】
【課題を解決するための手段】
上記課題を解決するために、本発明の請求項１にかかるディスク駆動装置においては、情報記録媒体ディスクを載置するように回転ハブに設けられたディスク搭載面が、円周方向と直交する面に関する断面形状を略円弧形状に形成されているとともに、そのディスク搭載面の近傍に、当該ディスク搭載面と同時加工された平面状の精度検査面が設けられている。
【００１０】
このような構成を有する本発明の請求項１にかかるディスク駆動装置によれば、ディスク搭載面の断面形状が略円弧形状をなすように形成されていることによって、情報記録媒体ディスクの反り等の変形を小さくしつつ、そのディスク搭載面との同時加工により容易かつ高精度に形成された平面状の精度検査面を用いて、ディスク搭載面に関する測定、すなわち軸振れ（アキシャル振れ）やディスク高さの測定が高精度に行われるようになっている。
【００１１】
また、本発明の請求項２にかかるディスク駆動装置では、情報記録媒体ディスクを載置するように回転ハブに設けられたディスク搭載面が、半径方向において０．３ｍｍ以下の幅寸法を有する環状平面をなすように形成されているとともに、そのディスク搭載面の近傍に、当該ディスク搭載面と同時加工された平面状の精度検査面が設けられている。
【００１２】
このような構成を有する本発明の請求項２にかかるディスク駆動装置によれば、ディスク搭載面が幅狭の環状平面をなすように形成されていることによって、情報記録媒体ディスクの反り等の変形を小さくしつつ、そのディスク搭載面との同時加工により容易かつ高精度に形成された平面状の精度検査面を用いて、ディスク搭載面に関する測定、すなわち軸振れ（アキシャル振れ）や、ディスク高さの測定が高精度に行われるようになっている。
【００１３】
さらに本発明の請求項３にかかるディスク駆動装置では、上記請求項１または請求項２における精度検査面が、略カップ状をなすように形成された回転ハブの底部を構成している円盤状部材の一部に形成されており、また本発明の請求項４にかかるディスク駆動装置では、上記請求項１または請求項２における精度検査面が、略カップ状をなすように形成された回転ハブの開口部を形成しているフランジ状部材の一部であって、前記ディスク搭載面と半径方向に隣接する面に形成されており、さらにまた、本発明の請求項５にかかるディスク駆動装置では、上記請求項１または請求項２における精度検査面が、略カップ状をなすように形成された回転ハブの開口部を形成しているフランジ状部材の一部であって、前記ディスク搭載面と軸方向に反対側の面に形成されている。
【００１４】
このような構成を有する請求項３または請求項４または請求項５にかかる各ディスク駆動装置によれば、精度検査面の形成が容易かつ高精度に行われるようになっている。
【００１５】
一方、本発明の請求項６にかかるディスク駆動装置の製造方法では、情報記録媒体ディスクを載置するように回転ハブに設けられたディスク搭載面を、円周方向と直交する面に関する断面形状が略円弧形状となるように形成するとともに、そのディスク搭載面の近傍に、平面状の精度検査面を前記ディスク搭載面と同時加工するようにしている。
【００１６】
このような構成を有する本発明の請求項６にかかるディスク駆動装置の製造方法によれば、ディスク搭載面の断面形状を略円弧形状をなすように形成することによって、情報記録媒体ディスクの反り等の変形を小さくしつつ、そのディスク搭載面との同時加工により平面状の精度検査面を容易かつ高精度に形成し、その平面状の精度検査面を用いて、ディスク搭載面に関する測定、すなわち軸振れ（アキシャル振れ）やディスク高さの測定が高精度に行われるようになっている。
【００１７】
また、本発明の請求項７にかかるディスク駆動装置の製造方法では、情報記録媒体ディスクを載置するように回転ハブに設けられたディスク搭載面を、半径方向において０．３ｍｍ以下の幅寸法を有する環状平面をなすように形成するとともに、そのディスク搭載面の近傍に、平面状の精度検査面を前記ディスク搭載面と同時加工するようにしている。
【００１８】
このような構成を有する本発明の請求項７にかかるディスク駆動装置の製造方法によれば、ディスク搭載面を幅狭の環状平面をなすように形成形成することによって、情報記録媒体ディスクの反り等の変形を小さくしつつ、そのディスク搭載面との同時加工により平面状の精度検査面を容易かつ高精度に形成し、その平面状の精度検査面を用いて、ディスク搭載面に関する測定、すなわち軸振れ（アキシャル振れ）やディスク高さの測定が高精度に行われるようになっている。
【００１９】
【発明の実施の形態】
以下、本発明の実施の形態を図面に基づいて詳細に説明するが、それに先立って、まず本発明にかかる動圧軸受モータを採用した一例としてのハードディスク駆動装置（ＨＤＤ）の概要を説明することとする。
【００２０】
図１および図２に示されている軸回転／アウターロータ型のスピンドルモータの全体は、固定側部としてのステータ組１０と、そのステータ組１０に対して図示上側から組み付けられた回転側部としてのロータ組２０を含む構成になされている。
【００２１】
このうちのステータ組１０は、図示を省略したハードディスク駆動装置（ＨＤＤ）の本体プレートにネジ止めされるベースフレーム１１を有している。このベースフレーム１１の略中央部分に形成された筒状のスリーブ保持部（軸受ホルダー）１２の内周側には、中空円筒状に形成された軸受スリーブ１３が圧入や焼き嵌め等の固定手段によってベースフレーム１１と一体的に接合されている。この軸受スリーブ１３は、その加工を容易化するためにリン青銅などの銅系材料からなり、両端に開口部を有する中心孔が形成されている。また、上記スリーブ保持部１２の外周面には、放射状に突出したステータコアの突極部にステータコイル１４を巻装したステータコア部１５が嵌着されている。
【００２２】
さらに、上記軸受スリーブ１３の中心孔内には、上記ロータ組２０の一部を構成する軸部材としての回転軸２１が回転自在に挿入されている。本実施形態における回転軸２１は、ステンレス鋼から形成されている。そして、上記軸受スリーブ１３の内周面に形成された動圧面は、上記回転軸２１の外周面に形成された動圧面に対して半径方向に微少隙間を介して対向するように配置されており、その微少隙間部分にラジアル動圧軸受部ＲＢが構成されている。より詳細には、ラジアル動圧軸受部ＲＢにおける軸受スリーブ１３側の動圧面と回転軸２１側の動圧面とが数μｍのラジアルギャップを介して対向配置され、そのラジアルギャップからなる軸受空間内には、例えばエステル系あるいはポリαオレフィン系の潤滑性オイル等の潤滑流体が注入されている。
【００２３】
さらにまた、上記軸受スリーブ１３および回転軸２１の両動圧面の少なくとも一方側には、図示を省略した例えばヘリングボーン形状のラジアル動圧発生用溝が、軸方向に２ブロックに分かれて凹設されており、上記回転軸２１の回転時において、当該ラジアル動圧発生用溝のポンピング作用により潤滑流体が加圧されて動圧を生じ、その動圧によって上記回転軸２１および回転軸２１に固着されたハブ体２２が回転自在に支持されるように構成されている。
【００２４】
また、上記各ラジアル動圧軸受部ＲＢを構成している軸受空間の図示上端部分には、毛細管シール部ＲＳが形成されている。この毛細管シール部ＲＳは、上記軸受スリーブ１３の開口部に形成された傾斜面によって隙間を軸受外端側に向かって徐々に拡大したものであって、例えば２０μｍ乃至３００μｍに設定されている。そして、この毛細管シール部ＲＳには、モータの回転・停止のいずれの場合でも潤滑流体の液面が位置するように構成されている。
【００２５】
さらに、上記回転軸２１とともにロータ組２０を構成している回転ハブ体２２は、磁気ディスク等の各種の情報記録媒体ディスクＤ１，Ｄ２を搭載可能とするように略カップ状に形成されており、当該回転ハブ体２２の中心部に設けられた接合穴に対して上記回転軸２１の上端部分が圧入や焼き嵌めあるいは接着等の固定手段によって固定されている。
【００２６】
上記回転ハブ体２２は、その外周部にロータ部を構成するための環状胴部２２ａを有しており、その環状胴部２２ａの内周面側には、周方向に一定間隔でＮＳ交互に着磁が施された円筒状のロータマグネット２２ｂが装着固定されており、それによってロータ部が構成されている。上記ロータマグネット２２ｂは、上述したステータコア部１４の外周面に対して環状に対向するように近接配置されている。
【００２７】
また、上記ロータマグネット２２ｂの軸方向下端面は、上述したベースフレーム１１側に取り付けられた磁気吸引板１６と軸方向に対面する位置関係になされており、これら両部材２２ｂ，１４どうしの間の磁気的吸引力によって、上述した回転ハブ体２２の全体が軸方向に引き付けられ、安定的な回転状態が得られる構成になされている。
【００２８】
一方、上記回転軸２１の図示下端側の先端部分には、環状のスラストプレート２３が固着されている。このスラストプレート２３は、軸受スリーブ１３の図示下端側における中心部分に凹設された収納部１３ａに配置されており、その軸受スリーブ１３の収納部１３ａ内において、スラストプレート２３の上側の端面に設けられた動圧面と、軸受スリーブ１３側の動圧面とが軸方向に近接対向するように配置されている。そして、それらスラストプレート２３および軸受スリーブ１３の両動圧面どうしの軸受隙間空間に、第１のスラスト軸受部ＳＢａが形成されている。
【００２９】
また、上記スラストプレート２３の図示下側の動圧面に近接するようにして、円板状部材からなるカウンタープレート１７が、軸受スリーブ１３の下端側開口部を閉塞するように固着されている。そして、上述したスラストプレート２３の動圧面と、カウンタープレート１７の図示上面側の動圧面とが近接対向する軸受隙間空間には、第２のスラスト動圧軸受部ＳＢｂが形成されている。
【００３０】
より詳細には、これら軸方向に隣接して配置された第１及び第２のスラスト動圧軸受部ＳＢａ，ＳＢｂにおけるスラストプレート２３側の軸方向の上下両動圧面と、それに対向する軸受スリーブ１３及びカウンタープレート１７側の両動圧面とが、それぞれ数μｍから十数μｍの微少間隔を介して軸方向に対向配置されているとともに、その微少間隔からなる軸受空間内に潤滑流体が上記スラストプレート２３の外周側通路を介して軸方向に連続するように注入されている。
【００３１】
上記スラストプレート２３の上下面にあたる動圧面には、既に公知のように、ヘリングボーン形状のスラスト動圧発生用溝が環状に凹設されており、回転時において当該スラスト動圧発生用溝のポンピング作用により潤滑流体が加圧されて動圧を生じ、その潤滑流体の動圧によって、上述した回転軸２１およびハブ２２がスラスト方向に支持される。なお、スラスト動圧発生用溝は、第１のスラスト軸受部における軸受スリーブ１３側の動圧面、および第２のスラスト軸受部におけるカウンタープレート１７側の動圧面に形成してもよい。
【００３２】
一方、このようにして回転自在に支持された上記回転ハブ体２２の環状胴部２２ａの外周側には、特に図２に示されているように、２枚の情報記録媒体ディスクＤ１，Ｄ２がスペーサ２４を介して軸方向に重ね合わせられるようにして挿通されている。また、上記回転ハブ体２２における略カップ状をなす開口部には、フランジ状部材２２ｃが半径方向外方に向かって所定量突出するように設けられており、そのフランジ状部材２２ｃの図示上面側に、ディスク搭載面２２ｄが形成されている。
【００３３】
本実施形態におけるディスク搭載面２２ｄは、上記フランジ状部材２２ｃの図示上面側において軸方向（図示上方向）に突出するように形成されており、円周方向と直交する面に関する断面形状が略円弧形状をなすように形成されている。そして、そのディスク搭載面２２ｄにおける略円弧形状の頂部に相当する部位に対して、上述した２枚の情報記録媒体ディスクＤ１，Ｄ２うちの図示下側の情報記録媒体ディスクＤ２が図示上方側から当接されるようにして載置され、これら情報記録媒体ディスクＤ１，Ｄ２の全体が、上記ディスク搭載面２２ｄの略円弧形状の頂部によって軸方向に位置決めされている。
【００３４】
さらに、上記回転ハブ体２２の図示最上面（底部）を構成している円盤状部材２２ｅには、バネ状部材から形成されたクランパ２５が配置されている。このクランパ２５の中心部分は、上述した回転軸２１の図示上端側に螺着された固定ネジ２６の頭部２６ａに締め付けられることによって固定されている。また、このクランパ２５は、半径方向外方側に延出しており、その延出側先端部分には図示下方側に向かって突出するように凸部２５ａが設けられている。その凸部２５ａは、上述した２枚の情報記録媒体ディスクＤ１，Ｄ２のうちの図示上側の情報記録媒体ディスクＤ１の図示上面側に圧接するように配置されていて、当該クランパ２５の凸部２５ａの軸方向押圧力によって、上記２枚の情報記録媒体ディスクＤ１，Ｄ２が軸方向に押し付けられ、上述したディスク搭載面２２ｄとの間に、これら２枚の情報記録媒体ディスクＤ１，Ｄ２が挟み込まれるようにして固定されるようになっている。
【００３５】
このとき、上述したディスク搭載面２２ｄの略円弧形状の頂部に相当する部位は、上記クランパ２５の凸部２５ａと軸方向に対向するように配置されており、それらディスク搭載面２２ｄの略円弧形状の頂部と、クランパ２５の凸部２５ａとを、軸方向において互いに対向する配置関係とすることによって、それらの両部材間に挟持された情報記録媒体ディスクＤ１，Ｄ２が一直線上の押圧力で固定されることとなり、その結果、情報記録媒体ディスクＤ１，Ｄ２に生じる反り等の変形を小さくすることができるようにしている。
【００３６】
一方、このようなディスク搭載面２２ｄの近傍には、当該ディスク搭載面２２ｄと同時加工によって形成された平面状の精度検査面３０（３０ａ，３０ｂ，３０ｃ）が設けられている。図１にかかる実施形態では、その平面状精度検査面３０として３つの面が示されている。まず、第１の平面状精度検査面３０ａは、上述した回転ハブ体２２の図示上面、つまり略カップ状をなす回転ハブ体２２の底部を構成している円盤状部材２２ｅの最外周部分に、環状の凹溝をなすように設けられている。また、第２の平面状精度検査面３０ｂは、略カップ状をなす回転ハブ２２の開口部を形成しているフランジ状部材２２ｃの一部であって、上記ディスク搭載面２２ｄの半径方向外方側に隣接する位置する平面として形成されている。さらに、第３の平面状精度検査面３０ｃは、略カップ状をなす回転ハブ体２２の開口部を形成しているフランジ状部材２２ｃの一部であって、上記ディスク搭載面２２ｄと軸方向に反対側に位置する平面として形成されている。
【００３７】
これらの各平面状精度検査面３０（３０ａ，３０ｂ，３０ｃ）は、上述したようにディスク搭載面２２ｄと同時に加工されるものであるが、例えば図３に示されているように、まず回転ハブ２２の加工前の素材２２’を外方側からチャック手段３１により保持しておき、その回転ハブ２２の素材２２’の内側表面２２’ａに対する面加工を図示矢印のようにして工具を送りながら行う。次いで、図４に示されているようにその内側表面２２’ａに対する面加工を終了した回転ハブ２２の素材２２’を、内方側からチャック手段３２により保持し、その回転ハブ２２の素材２２’の外側表面２２’ｂに対する面加工を図示矢印のように工具を送りながら同時に行う。これによって、ディスク搭載面２２ｄと、平面状精度検査面３０（３０ａ，３０ｂ，３０ｃ）とが、容易かつ高精度に同時加工されることとなる。
【００３８】
このような本実施形態では、ディスク搭載面２２ｄの断面形状が略円弧形状をなすように形成されていることによって、情報記録媒体ディスクＤ１，Ｄ２の反り等の変形が小さくなされるとともに、そのディスク搭載面２２ｄとの同時加工によって容易かつ高精度に形成された平面状の精度検査面３０（３０ａ，３０ｂ，３０ｃ）を用いて、ディスク搭載面２２ｄの軸振れ（アキシャル振れ）や高さの測定が高精度に行われることとなる。
【００３９】
このとき、上述した第３の平面状精度検査面３０ｃを用いる場合においては、その第３の平面状精度検査面３０ｃの軸方向直下に位置するベースフレーム１１に、軸方向に貫通する測定用孔３３を設けておくこととする。そして、その測定用孔３３を通して、上記第３の平面状精度検査面３０ｃに対する各種検査を行った後には、当該測定用孔３３に対して開口部を覆うシール等を接着し、それによって測定用孔３３の開口部を封止する。
【００４０】
一方、同一の構成物に対して同一の構成物を付した図５にかかる実施形態においては、回転ハブ体２２の略カップ状の開口部に設けられたフランジ状部材２２ｃの図示上面側に、上述した実施形態と異なる形状のディスク搭載面２２ｆが形成されている。本実施形態におけるディスク搭載面２２ｆは、フランジ状部材２２ｃに設けられた環状凸部２２ｇの頂部に形成された幅狭の環状平面からなり、当該ディスク搭載面２２ｆの半径方向の幅寸法が０．３ｍｍ以下となるように形成されている。
【００４１】
そして、本実施形態におけるディスク搭載面２２ｆも、上述したクランパ２５の凸部２５ａと軸方向に対向するように配置されており、そのようにディスク搭載面２２はとクランパ２５の凸部２５ａとを軸方向に対向した配置関係とすることによって、それらの両部材２２ｆ，２５ａどうしの間に挟持された情報記録媒体ディスクＤ１，Ｄ２が軸方向に一直線上の押圧力で固定されることとなり、これら情報記録媒体ディスクＤ１，Ｄ２に対する反り等の変形力を小さくすることができるようになっている。
【００４２】
このようなディスク搭載面２２ｆの近傍には、当該ディスク搭載面２２ｆと同時加工された平面状の精度検査面３０（３０ａ，３０ｂ，３０ｃ）が、上述した実施形態と同様にして設けられている。
【００４３】
従って、このような実施形態においても、ディスク搭載面２２ｆの断面形状が幅狭の環状平面をなすように形成されていることによって、情報記録媒体ディスクＤ１，Ｄ２の反り等の変形を小さくしつつ、上記ディスク搭載面２２ｆとの同時加工により容易かつ高精度に形成された平面状の精度検査面３０（３０ａ，３０ｂ，３０ｃ）を用いて、ディスク搭載面２２ｆに関する測定、すなわち軸振れ（アキシャル振れ）や、ディスク高さの測定が高精度に行われるようになっている。
【００４４】
次に、同一の構成物に対して同一の構成物を付した図６に示されている軸回転型のＨＤＤ駆動装置に用いられるスピンドルモータは、いわゆるシングルスラスト動圧軸受装置を備えたものであって、上述した実施形態とはスラスト軸受部の構造が異なっている。そこで、上述した実施形態と同一の構成部分については同一の符号を伏して説明を省略することとし、異なる構成の部位についての説明を以下に行うこととする。
【００４５】
まず、動圧軸受スリーブ４３の図示下端側に設けられた開口部は、カバー４３ａにより閉塞されており、各ラジアル動圧軸受部ＲＢ内の潤滑流体が外部に漏出しない構成になされている。また、上記動圧軸受スリーブ４３の図示上端面と、上述した回転ハブ２２の中心側部分における図示下端面とは、軸方向に近接した状態で対向するように配置されており、それら動圧軸受スリーブ４３の図示上端面と、回転ハブ２２の図示下端面との間の軸方向対向領域に、スラスト動圧軸受部ＳＢが設けられている。すなわち、上記スラスト動圧軸受部ＳＢを構成している両対向動圧面４３，２２の少なくとも一方側には、例えばへリングボーン形状のスラスト動圧発生溝（図示省略）が形成されており、そのスラスト動圧発生溝を含む軸方向対向部分がスラスト動圧軸受部ＳＢになされている。
【００４６】
このようなスラスト動圧軸受部ＳＢを構成している動圧軸受スリーブ４３の図示上端面側の動圧面と、それに近接対向する回転ハブ２２の図示下端面側の動圧面とは、数μｍの微少隙間を介して軸方向に対向配置されているとともに、その微少隙間からなる軸受空間内に、オイルや磁性流体やエアー等の潤滑流体が、上述したラジアル動圧軸受部ＲＢから連続的に充填されていて、回転時に、上述したスラスト動圧発生溝のポンピング作用によって上記潤滑流体が加圧されて動圧を生じ、その潤滑流体の動圧によって回転軸２１および回転ハブ２２が、スラスト方向に浮上した非接触状態で軸支持される構成になされている。
【００４７】
さらに、上記動圧軸受スリーブ４３の外周壁面には、毛細管シール部４４からなる流体シール部が画成されている。すなわち、この流体シール部としての毛細管シール部４４は、前述したスラスト動圧軸受部ＳＢを含む軸方向のスラスト対向領域に対して半径方向外方側から連設されるように設けられており、上記動圧軸受スリーブ４３の外周壁面と、当該動圧軸受スリーブ４３の外周壁面に対して半径方向に対向するように配置された抜け止め部材としての環状胴部材４５の内周壁面と、によって上記毛細管シール部４４が画成されている。
【００４８】
より詳しくは、上記環状胴部材４５は、略リング状部材からなり、当該環状胴部材４５の外周側部分を形成している板状のハブ取付部４５ａが、上述した回転ハブ２２に設けられた固定部２２ｈにより固着されている。また、そのハブ取付部４５ａから内方側に突出するように設けられた本体部４５ｂの内周壁面は、上述した動圧軸受スリーブ４３の外周壁面に対して上記スラスト動圧軸受部ＳＢから連続する半径方向隙間を画成するように配置されており、その半径方向隙間によって、前述したスラスト動圧軸受部ＳＢ内の潤滑流体の外部流出を防止する流体シール部４４が形成されている。
【００４９】
このとき、上記流体シール部としての毛細管シール部４４を画成している環状胴部材４５の内周壁面と、動圧軸受スリーブ４３の外周壁面との間の隙間は、図示下方側の開口側（図示下方側）に向かって連続的に拡大するように形成され、テーパ状のシール空間を構成している。そして、上述したスラスト動圧軸受部ＳＢ内の潤滑流体は、上記毛細管シール部４４に至るまで連続的に充填されており、当該毛細管シール部４４の途中位置に潤滑流体の液面が常時位置するように構成されている。またこのとき、上記毛細管シール部４４を画成している動圧軸受スリーブ４３の外周壁面、および上記環状胴部材４５における本体部４５ｂの内周壁面の双方は、当該毛細管シール部４４の開口側（図示下方側）に向かって半径方向内方側に傾斜するテーパ面を有するように形成されており、当該毛細管シール部４４の中心軸線が、開口側（図示下方側）に向かって半径方向内方側に傾斜するように形成されている。これによって、本来の毛細管シール作用に加えて、回転時の遠心力が、上記毛細管シール部４４内の潤滑流体を外周側、すなわち内部側（図示上側）に押し込むように作用する構成になされている。
【００５０】
一方、上記固定部２２ｈは、上記回転ハブ２２の図示下端面であって上記スラスト動圧軸受部ＳＢの半径方向外方側の領域に、軸方向（図示下方向）に突出するように形成されており、当該固定部２２ｈに対して、上記環状胴部材４５のハブ取付部４５ａを外方側から覆うようにカシメ等による塑性変形が施される構成になされており、その固定部２２ｈの塑性変形によって上記環状胴部材４５のハブ取付部４５ａが強固な固定状態になされるようになっている。
【００５１】
このとき、上記固定部２２ｈの内周壁面は、上記環状胴部材４５のハブ取付部４５ａを予め決められた位置に位置決め案内する規制面を構成するように形成されており、当該固定部２２ｈの位置決め規制面に沿って、上記環状胴部材４５のハブ取付部４５ａが軸方向に摺動されながら装着されることによって、その環状胴部材４５の全体が、容易かつ高精度に装着されるようになっている。
【００５２】
一方、上記動圧軸受スリーブ４３の図示上端部分には、半径方向外方側に張り出すように突出する抜止め係止鍔部４３ｂが設けられており、その抜止め係止鍔部４３ｂの一部が、上述した環状胴部材４５の本体部４５ｂの図示上面側に対して軸方向に対向するように配置されている。そして、これら両部材４３ｂ，４５ｂが軸方向に当接可能に配置されていることによって、上記回転ハブ２２が軸方向に抜け出すことを防止する構成になされている。
【００５３】
すなわち、その動圧軸受スリーブ４３における抜止め係止鍔部４３ｂの半径方向外方側には、上述した環状胴部材４５のハブ取付部４５ａが配置されており、上記抜止め係止鍔部４３ｂの外周壁面に対して、上記環状胴部材４５のハブ取付部４５ａの内周壁面が、半径方向外方側から対面するように配置されている。
【００５４】
そして、本実施形態においても、上述した実施形態と同様な平面状精度検査面３０（３０ａ，３０ｂ）が、ディスク搭載面２２ｄと同時の面加工により形成されている。本実施形態における平面状精度検査面３０（３０ａ，３０ｂ）は、例えば図７に示されているように、回転ハブ２２の加工前の素材２２’に対して保持用ボス部２２ｉを予め設けておき、その保持用ボス部２２ｉを外方側からチャック手段３３により保持し、その回転ハブ２２の素材２２’に対する面加工を、図示矢印のように内側壁面から外側壁面にかけて工具を送りながら行う。そして最後に、図８に示されているように、回転ハブ２２の素材２２’から保持用ボス部２２ｉを切除する。
【００５５】
このような構成を有する実施形態においても、ディスク搭載面２２ｄの断面形状が略円弧形状をなすように形成されていることによって、情報記録媒体ディスクＤ１，Ｄ２の反り等の変形が小さくされ、かつそのディスク搭載面２２ｄとの同時加工によって容易かつ高精度に形成された平面状の精度検査面３０（３０ａ，３０ｂ）を用いて、ディスク搭載面２２ｄの軸振れ（アキシャル振れ）や高さの測定が高精度に行われることとなる。
【００５６】
次に、図９に示されている実施形態では、上述した図６にかかる実施形態におけるラジアル軸受部ＲＢが軸方向に対して傾斜した状態に構成された、いわゆるコニカル型のラジアル軸受部ＣＲＢを備えたものであって、その他は上述した図６にかかる実施形態と同様であるので、対応する部材に対して同一の符号を付して詳細な説明は省略することとする。
【００５７】
このような実施形態において設けられた平面状精度検査面３０（３０ａ，３０ｂ）も、ディスク搭載面２２ｄと同時加工されるが、例えば図１０に示されているように、回転ハブ２２の加工前の素材２２’に対して保持用ボス部２２ｊを予め設けておき、その保持用ボス部２２Ｊを外方側からチャック手段３４により保持し、その回転ハブ２２の素材２２’に対する面加工を、図示矢印のように内側壁面から外側壁面にかけて工具を送りながら行う。そして最後に、図１１に示されているように、上記回転ハブ２２の素材２２’から保持用ボス部２２ｊを切除する。
【００５８】
このような構成を有する実施形態においても、ディスク搭載面２２ｄの断面形状が略円弧形状をなすように形成されていることによって、情報記録媒体ディスクＤ１，Ｄ２の反り等の変形が小さくされ、かつそのディスク搭載面２２ｄとの同時加工によって容易かつ高精度に形成された平面状の精度検査面３０（３０ａ，３０ｂ）を用いて、ディスク搭載面２２ｄの軸振れ（アキシャル振れ）や高さの測定が高精度に行われることとなる。
【００５９】
以上、本発明者によってなされた発明を実施形態に基づいて具体的に説明したが、本発明は上記実施形態に限定されるものではなく、その要旨を逸脱しない範囲で種々変形可能であるというのは言うまでもない。
【００６０】
例えば、上述した実施形態は、ハードディスク駆動装置（ＨＤＤ）用のスピンドルモータに対して本発明を適用したものであるが、その他の多種多様なディスク駆動装置に対しても本発明は同様に適用することができるものである。
【００６１】
【発明の効果】
以上説明したように、本発明の請求項１または請求項６にかかるディスク駆動装置またはディスク駆動装置の製造方法は、情報記録媒体ディスクを載置するように回転ハブに設けたディスク搭載面の円周方向と直交する面に関する断面形状を略円弧形状をなすように形成して情報記録媒体ディスクの反り等の変形を小さくするとともに、そのディスク搭載面の近傍に、当該ディスク搭載面との同時加工によって容易かつ高精度に平面状の精度検査面を形成し、その平面状精度検査面を用いてディスク搭載面に関する測定、すなわち軸振れ（アキシャル振れ）やディスク高さの測定が高精度を行い得るように構成したものであるから、情報記録媒体ディスクの反り等の変形を小さくするようにディスク搭載面を構成した場合であっても、上記ディスク搭載面に対する測定を容易かつ高精度に行うことができ、簡易な構成によりディスク駆動装置の回転性能を大幅に向上させることができる。
【００６２】
また、本発明の請求項２または請求項７にかかるディスク駆動装置またはディスク駆動装置の製造方法は、情報記録媒体ディスクを載置するように回転ハブに設けたディスク搭載面を、半径方向において０．３ｍｍ以下の幅寸法を有する環状平面をなすように形成して情報記録媒体ディスクの反り等の変形を小さくするとともに、そのディスク搭載面の近傍に、当該ディスク搭載面との同時加工によって容易かつ高精度に平面状の精度検査面を形成し、その平面状精度検査面を用いてディスク搭載面に関する測定、すなわち軸振れ（アキシャル振れ）やディスク高さの測定が高精度を行い得るように構成したものであるから、情報記録媒体ディスクの反り等の変形を小さくするようにディスク搭載面を構成した場合であっても、上記ディスク搭載面に対する測定を容易かつ高精度に行うことができ、簡易な構成によってディスク駆動装置の回転性能を大幅に向上させることができる。
【００６３】
さらに本発明の請求項３にかかるディスク駆動装置は、上記請求項１または請求項２における精度検査面を、略カップ状をなすように形成した回転ハブの底部を構成している円盤状部材の一部に形成しており、また本発明の請求項４にかかるディスク駆動装置は、上記請求項１または請求項２における精度検査面を、略カップ状をなすように形成した回転ハブの開口部を形成しているフランジ状部材の一部であって、上記ディスク搭載面と半径方向に隣接する面に形成しており、さらにまた本発明の請求項５にかかるディスク駆動装置は、上記請求項１または請求項２における精度検査面を、略カップ状をなすように形成した回転ハブの開口部を形成しているフランジ状部材の一部であって、上記ディスク搭載面と軸方向に反対側の面に形成したことによって、精度検査面の形成を容易かつ高精度に行われるようにしたものであるから、上述した効果に加えて、生産性を向上させることができる。
【図面の簡単な説明】
【図１】本発明の一実施形態におけるディスク駆動装置としての軸回転型のＨＤＤ用スピンドルモータの概要を表した縦断面説明図である。
【図２】図１に示されたＨＤＤ用スピンドルモータに用いられている回転ハブに対して磁気ディスクを装着した状態を表した半縦断面説明図である。
【図３】図１に示されたＨＤＤ用スピンドルモータに用いられている回転ハブの内側表面に対する面加工の手順を表した縦断面説明図である。
【図４】図１に示されたＨＤＤ用スピンドルモータに用いられている回転ハブの外側表面に対する面加工の手順を表した縦断面説明図である。
【図５】本発明の他の実施形態にかかるＨＤＤ用スピンドルモータの回転ハブに磁気ディスクを装着した状態を表した半縦断面説明図である。
【図６】本発明の更に他の実施形態にかかるＨＤＤ用スピンドルモータの概要を表した縦断面説明図である。
【図７】図６に示されたＨＤＤ用スピンドルモータに用いられている回転ハブの内外両表面に対する面加工の手順を表した縦断面説明図である。
【図８】図６に示されたＨＤＤ用スピンドルモータに用いられている回転ハブの表面に対する面加工の最後の手順を表した縦断面説明図である。
【図９】本発明の更に他の実施形態にかかるＨＤＤ用スピンドルモータの概要を表した縦断面説明図である。
【図１０】図９に示されたＨＤＤ用スピンドルモータに用いられている回転ハブの内外両表面に対する面加工の手順を表した縦断面説明図である。
【図１１】図９に示されたＨＤＤ用スピンドルモータに用いられている回転ハブの表面に対する面加工の最後の手順を表した縦断面説明図である。
【図１２】従来技術におけるＨＤＤ用スピンドルモータにおける回転ハブに磁気ディスクを装着した状態を表した半縦断面説明図である。
【図１３】従来技術におけるＨＤＤ用スピンドルモータの回転ハブに磁気ディスクを装着した状態の一例を表した半縦断面説明図である。
【図１４】従来技術におけるＨＤＤ用スピンドルモータの回転ハブに磁気ディスクを装着した状態の他の例を表した半縦断面説明図である。
【図１５】従来技術におけるＨＤＤ用スピンドルモータの他の例における回転ハブに磁気ディスクを装着した状態を表した半縦断面説明図である。
【符号の説明】
１１  ベースフレーム
１２  スリーブ保持部（軸受ホルダー）
１３  軸受スリーブ
２１  回転軸
２２  回転ハブ体
２２ａ  環状胴部
２２ｂ  ロータマグネット
２２ｃ  フランジ状部材
２２ｄ  ディスク搭載面
２５  クランパ
２５ａ  凸部
３０（３０ａ，３０ｂ，３０ｃ）  精度検査面
【図１】
2004342234.tif 000003
【図２】
2004342234.tif 000004
【図３】
2004342234.tif 000005
【図４】
2004342234.tif 000006
【図５】
2004342234.tif 000007
【図６】
2004342234.tif 000008
【図７】
2004342234.tif 000009
【図８】
2004342234.tif 000010
【図９】
2004342234.tif 000011
【図１０】
2004342234.tif 000012
【図１１】
2004342234.tif 000013
【図１２】
2004342234.tif 000014
【図１３】
2004342234.tif 000015
【図１４】
2004342234.tif 000016
【図１５】
2004342234.tif 000017